(57)【要約】【課題】軸筒またはキャップの端部にクリップの脚部を固定したクリップ付筆記具であっても、胸ポケットに挿着した状態からの引き抜きが容易であるクリップ付筆記具を提供する。【解決手段】軸筒本体またはキャップ本体の上方に金輪を配し該金輪の上方に頭冠を配し該頭冠の上方に前記クリップの脚部を配すると共に、先端に薄肉で鍔状の圧接部を有した固定螺子を前記クリップの脚部と頭冠と金輪とが圧接するよう前記軸筒本体またはキャップ本体へ螺合し、且つ前記金輪の外側面が前記頭冠の表面および軸筒本体またはキャップ本体の表面より突出した構造としたことを特徴とするクリップ付筆記具。【選択図】          図２
2008093845.tif 000002
【特許請求の範囲】
【請求項１】
軸筒またはキャップの端部にクリップの脚部を固定したクリップ付筆記具において、軸筒本体またはキャップ本体の上方に金輪を配し該金輪の上方に頭冠を配し該頭冠の上方に前記クリップの脚部を配すると共に、先端に薄肉で鍔状の圧接部を有した固定螺子を前記クリップの脚部と頭冠と金輪とが圧接するよう前記軸筒本体またはキャップ本体へ螺合し、且つ前記金輪の外側面が前記頭冠の表面および軸筒本体またはキャップ本体の表面より突出した構造としたことを特徴とするクリップ付筆記具。
【発明の詳細な説明】
【技術分野】
【０００１】
本発明は、胸ポケット等に挟持するクリップを有した筆記具に関し、そのクリップの脚部を軸筒またはキャップの端部に固定してある構造の筆記具に関する。
【背景技術】
【０００２】
筆記具を胸ポケット等に挿着できるように、キャップや軸筒にクリップを設けたクリップ付筆記具は従来公知である。またクリップ付筆記具には、意匠登録第１２２３９２８号公報や意匠登録第１２２４１６２号公報に開示されているような、クリップの脚部を軸筒やキャップの端部に固定したものがある。
【０００３】
【特許文献１】意匠登録第１２２３９２８号公報
【特許文献２】意匠登録第１２２４１６２号公報
【発明の開示】
【発明が解決しようとする課題】
【０００４】
意匠登録第１２２３９２８号公報や意匠登録第１２２４１６２号公報に見られる構造のクリップ付筆記具は、軸筒やキャップの端部にクリップの脚部が固定されていることから、筆記具を胸ポケットに挿着した際には筆記具が奥深く差し込まれ、ポケットの端から露出している部分が少なくなり、筆記具を引き抜こうとした際に指が滑って掴み難いという問題があった。
【０００５】
本発明が解決する課題は、軸筒またはキャップの端部にクリップの脚部を固定したクリップ付筆記具であっても、胸ポケットに挿着した状態からの引き抜きが容易であるクリップ付筆記具を提供することである。
【課題を解決するための手段】
【０００６】
本発明は、
「軸筒またはキャップの端部にクリップの脚部を固定したクリップ付筆記具において、軸筒本体またはキャップ本体の上方に金輪を配し該金輪の上方に頭冠を配し該頭冠の上方に前記クリップの脚部を配すると共に、先端に薄肉で鍔状の圧接部を有した固定螺子を前記クリップの脚部と頭冠と金輪とが圧接するよう前記軸筒本体またはキャップ本体へ螺合し、且つ前記金輪の外側面が前記頭冠の表面および軸筒本体またはキャップ本体の表面より突出した構造としたことを特徴とするクリップ付筆記具。」
である。
【０００７】
軸筒またはキャップに対してクリップは、クリップの脚部に設けた取付孔へ固定螺子の螺子部を挿通し、クリップの脚部を固定螺子に形成した薄肉で鍔状の圧接部と頭冠との間で挟む状態で固定する。固定螺子の螺子部は、軸筒本体やキャップ本体に設けた螺子部に直接螺合するか、あるいは螺子部を有した別部材を軸筒本体またはキャップ本体に装着し、当該別部材を介して固定螺子を軸筒本体またはキャップ本体に螺合してもよい。また、金属からなる固定螺子の圧接部と金輪とに挟まれる頭冠には強い圧縮力が働くため、頭冠の内側にリブを形成し、圧縮方向の強度を向上させることが好ましい。また金輪の位置は、胸ポケットに挿着した筆記具の端部を軽く摘み上げる際に、ポケットの口から金輪が露出し易い場所に設定することが肝要である。金輪が露出した状態になれば金輪に指が引っ掛かり、筆記具を簡単に引き抜くことができるためである。
【発明の効果】
【０００８】
本発明のクリップ付筆記具は、筆記具が胸ポケットの奥深くに差し込まれた状態にあっても、端部を軽く摘み上げると金輪に指が引っ掛かるので、引き抜き易いものとなる。また金輪は装飾的な効果もある。
【発明を実施するための最良の形態】
【０００９】
次に図面を参照しながら、本発明のクリップ付筆記具について説明を行うが、本発明は以下の実施例に限定されるものではない。また図中の同じ部材、同じ部品については、同じ符号としてある。本実施例の説明では図面の上側を上方と、下側を下方と表現する。
図１は本実施例のキャップ式万年筆の図である。図に示す万年筆１は、キャップ２を軸筒３から外して、ペン先３ａを開放した状態の図である。キャップ２は側方にクリップ４を配し、キャップ本体５の上方に金輪６を配し、金輪６の上方に頭冠７を配し、上端の固定螺子８でそれらを固定してある。
【００１０】
図２はキャップ２の拡大断面図であり、図３はキャップを部材毎に分解した図である。キャップ本体５の内部には中子９を装着してある。キャップ本体５の上部と中子９の上部は小径部５ａと小径部９ａになっており、キャップ本体５の小径部５ａ内に中子９の小径部９ａを圧入してある。尚、中子９の小径部９ａに形成した突部９ｂをキャップ本体５の内面に形成した溝部５ｂに係合させて、中子９の回転止めとしてある。またキャップ本体５の小径部５ａの下方には段部５ｃを形成してあり、図２に示すように段部５ｃへ金輪６を嵌めてある。固定螺子８に設けた雄螺子部８ａは前記中子９の上部に形成した雌螺子部９ｃに螺合させており、クリップ４の脚部４ａと頭冠７と金輪６とを、前記固定螺子８の上端に設けた薄肉で鍔状の圧接部８ｂとキャップ本体５とで挟持してある。本実施例ではクリップ４の脚部４ａを頭冠７の上部に形成した係合溝７ａに係合させ回転防止としてあり、固定螺子８はクリップ４の脚部４ａに形成した取付孔４ｂに挿通してある。また頭冠７の内面にはリブ７ｂを設け圧縮方向への強度を向上させている。本実施例ではキャップ本体５の下部に金輪１０を嵌着してある。
【００１１】
図４は胸ポケットに挿着した本実施例の万年筆の端部を指で摘んだ状態の図である。図に示すように、クリップ４でポケット１００を挟持した万年筆１は、奥深くに差し込まれ、ポケット１００の端から露出している部分が少ない。しかしながら、少し露出している頭冠８を摘み上げることにより、頭冠８の下方に位置する金輪６が露出してくるため、その金輪６の出っ張りに指を掛けて、図５に示すように万年筆１を簡単に引き抜くことができた。
【００１２】
図６は他の実施例の回転繰出式ボールペンである。図に示す回転繰出式ボールペン１１は、後軸１２と前軸１３とからなり、後軸１２を前軸１３に対して回転させることにより内部の回転繰出機構を操作して、前軸１３の開口部１３ａよりボールペンチップ先端１３ｂを突出させる構造である。また後軸１２は、側方にクリップ４を配し、後軸本体１５の上方に金輪６を配し、金輪６の上方に頭冠７を配し、上端の固定螺子８でそれらを固定してある。図７は回転繰出式ボールペン１１の要部拡大断面図である。後軸本体１５の上部は小径部１５ａになっており頭冠７内に圧入してある。また後軸本体１５の小径部１５ａの下方には段部１５ｃを形成してあり、段部１５ｃへ金輪６を嵌めてある。前記固定螺子８に設けた雄螺子部８ａは前記後軸１５の上部に形成した雌螺子部１５ｄに螺合させており、クリップ４の脚部４ａと頭冠７と金輪６とを、前記固定螺子８の上端に設けた薄肉で鍔状の圧接部８ｂと後軸本体１５とで挟持してある。前述の実施例と同様にクリップ４の脚部４ａを頭冠７の上部に形成した係合溝７ａに係合させ回転防止としてあり、固定螺子８はクリップ４の脚部４ａに形成した取付孔４ｂに挿通してある。また頭冠７の内面にはリブ７ｂを設け圧縮方向への強度を向上させている。
【産業上の利用可能性】
【００１３】
本発明のクリップ付筆記具の構造は、キャップ式の万年筆や回転繰出式のボールペン以外にも、マーカーや軸筒内に複数のレフィルを備えた多色ボールペン等の筆記具、あるいは修正ペン等の液体塗布具に採用することもできる。
【図面の簡単な説明】
【００１４】
【図１】本実施例のキャップ式万年筆の図である。
【図２】キャップの拡大断面図である。
【図３】キャップを部材毎に分解した図である。
【図４】胸ポケットに挿着した本実施例の万年筆の端部を指で摘んだ状態の図である。
【図５】本実施例の万年筆を引き抜く状態の図である。
【図６】他の実施例の回転繰出式ボールペンである。
【図７】回転繰出式ボールペンの要部拡大断面図である。
【符号の説明】
【００１５】
１…万年筆、２…キャップ、３…軸筒、３ａ…ペン先、
４…クリップ、４ａ…脚部、４ｂ…取付孔、
５…キャップ本体、５ａ…小径部、５ｂ…溝部、５ｃ…段部、
６…金輪、７…頭冠、７ａ…係合溝、７ｂ…リブ、
８…固定螺子、８ａ…雄螺子部、８ｂ…圧接部、
９…中子、９ａ…小径部、９ｂ…突部、９ｃ…雌螺子部、
１０…金輪、
１００…ポケット、
１１…回転繰出式ボールペン、
１２…後軸、１３…前軸、１３ａ…開口部、１３ｂ…チップ先端、
１５…後軸本体、１５ａ…小径部、１５ｃ…段部。
【図１】
2008093845.tif 000003
【図２】
2008093845.tif 000004
【図３】
2008093845.tif 000005
【図４】
2008093845.tif 000006
【図５】
2008093845.tif 000007
【図６】
2008093845.tif 000008
【図７】
2008093845.tif 000009